(57)【要約】【課題】ユーザに施設で利用可能なカードを忘れずに当該施設に持っていかせることが可能なナビゲーション装置、情報提示方法、情報提示プログラム、記録媒体、及びナビゲーションシステムを提供する。【解決手段】ナビゲーション装置は、施設で利用可能なカードを保持可能な保持部を複数備えるカードストッカの前記保持部の情報と、当該保持部に保持されている前記カードを利用可能な施設の情報とを対応付けて保持部毎に登録しておく。そして、ナビゲーション装置は、車両が目的地又は経由地となる施設に位置すると判定された場合に、当該施設で利用可能なカードを保持するスロットを特定し、特定されたスロット又は当該スロットに保持されたカードをユーザに提示するように構成した。【選択図】図４
2013195253.tif 000002
【特許請求の範囲】
【請求項１】
施設で利用可能なカードを保持可能な保持部を複数備えるカードストッカの前記保持部の情報と、当該保持部に保持されている前記カードを利用可能な施設の情報とを対応付けて保持部毎に登録する登録手段と、
移動体が目的地又は経由地となる施設に位置するか否かを判定する判定手段と、
前記判定手段により前記移動体が前記施設に位置すると判定された場合に、当該施設で利用可能なカードを保持する前記保持部を前記登録手段により登録された情報に基づいて特定する特定手段と、
前記特定手段により特定された前記保持部を前記ユーザに提示する提示手段と、
を備えることを特徴とするナビゲーション装置。
【請求項２】
前記カードストッカに備えられる各前記保持部は、開状態と閉状態の何れか一方の状態をとり、前記閉状態は前記ナビゲーション装置からの制御信号に応じて前記開状態に切り替えられ、前記保持部が閉状態のときは当該保持部に保持された前記カードがユーザにより取り出し不能である一方、前記保持部が開状態のときは当該保持部に保持された前記カードがユーザにより取り出し可能に当該ユーザに提示され、
前記提示手段は、前記特定された前記保持部を開状態にさせる前記制御信号を有線又は無線により前記カードストッカへ送信することを特徴とする請求項１に記載のナビゲーション装置。
【請求項３】
前記ナビゲーション装置が始動したとき前記移動体が施設に位置する場合に、前記登録手段は、前記移動体が位置する施設で利用可能なカードを新たに保持させる保持部として前記ユーザにより指定された当該保持部の情報と、当該施設の情報とを対応付けて登録することを特徴とする請求項１又は２に記載のナビゲーション装置。
【請求項４】
前記ナビゲーション装置が始動したとき前記移動体が第１の施設に位置する場合に、前記登録手段は、当該第１の施設とは異なる第２の施設で利用可能なカードとして前記保持部に保持済の当該カードのうち当該第１の施設でも利用可能なカードが保持されている前記保持部の情報と、当該第１の施設の情報とを対応付けて登録することを特徴とする請求項１又は２に記載のナビゲーション装置。
【請求項５】
ナビゲーション装置と、施設で利用可能なカードを保持可能な保持部を複数備えるカードストッカとを備えるナビゲーションシステムであって、
前記カードストッカに備えられる各前記保持部は、開状態と閉状態の何れか一方の状態をとり、前記閉状態は前記ナビゲーション装置からの制御信号に応じて前記開状態に切り替えられ、前記保持部が閉状態のときは当該保持部に保持された前記カードがユーザにより取り出し不能である一方、前記保持部が開状態のときは当該保持部に保持された前記カードがユーザにより取り出し可能に当該ユーザに提示され、
前記ナビゲーション装置は、
前記カードストッカの前記保持部の情報と、当該保持部に保持されている前記カードを利用可能な施設の情報とを対応付けて保持部毎に登録する登録手段と、
移動体が目的地又は経由地となる施設に位置するか否かを判定する判定手段と、
前記判定手段により前記移動体が前記施設に位置すると判定された場合に、当該施設で利用可能なカードを保持する前記保持部を前記登録手段により登録された情報に基づいて特定する特定手段と、
前記特定手段により特定された前記保持部を開状態にさせる前記制御信号を有線又は無線により前記カードストッカへ送信する送信手段と、
を備えることを特徴とするナビゲーションシステム。
【請求項６】
ナビゲーション装置により行われる情報提示方法であって、
施設で利用可能なカードを保持可能な保持部を複数備えるカードストッカの前記保持部の情報と、当該保持部に保持されている前記カードを利用可能な施設の情報とを対応付けて保持部毎に登録する登録工程と、
移動体が目的地又は経由地となる施設に位置するか否かを判定する判定工程と、
前記判定工程により前記移動体が前記施設に位置すると判定された場合に、当該施設で利用可能なカードを保持する前記保持部を前記登録工程により登録された情報に基づいて特定する特定工程と、
前記特定工程により特定された前記保持部を前記ユーザに提示する提示工程と、
を含むことを特徴とする情報提示方法。
【請求項７】
ナビゲーション装置に含まれるコンピュータを、
施設で利用可能なカードを保持可能な保持部を複数備えるカードストッカの前記保持部の情報と、当該保持部に保持されている前記カードを利用可能な施設の情報とを対応付けて保持部毎に登録する登録手段、
移動体が目的地又は経由地となる施設に位置するか否かを判定する判定手段、
前記判定手段により前記移動体が前記施設に位置すると判定された場合に、当該施設で利用可能なカードを保持する前記保持部を前記登録手段により登録された情報に基づいて特定する特定手段、及び、
前記特定手段により特定された前記保持部を前記ユーザに提示する提示手段として機能させることを特徴とする情報提示プログラム。
【請求項８】
請求項７に記載の情報提示プログラムをコンピュータにより読み取り可能に記録したことを特徴とする記録媒体。
【発明の詳細な説明】
【技術分野】
【０００１】
本願は、移動体に搭載されるナビゲーション装置等の技術分野に属する。
【背景技術】
【０００２】
従来から、車両に搭載されるナビゲーション装置の中には、車両位置に応じて、店舗等の様々な施設で提供されるサービス情報を提示することが可能なナビゲーション装置が知られている。例えば、特許文献１には、施設サービス情報の提示条件を設定し、設定した提示条件に対応する施設のうちから、車両位置に応じて施設サービス情報を提示することで、運転者や同乗者にとって必要となる施設サービス情報を適切に表示することができる車載用ナビゲーション装置が開示されている。
【先行技術文献】
【特許文献】
【０００３】
【特許文献１】特開２００９−２５０７９１号公報
【発明の概要】
【発明が解決しようとする課題】
【０００４】
しかしながら、車両が様々な施設に到着した時に、その施設で利用可能なメンバカード（会員カード）やポイントカード等のカードを車内から施設に持っていくことを忘れてしまう場合がある。
【０００５】
そこで、本願は、上記の点に鑑みて為されたもので、その課題の一例は、ユーザに施設で利用可能なカードを忘れずに当該施設に持っていかせることが可能なナビゲーション装置、情報提示方法、情報提示プログラム、記録媒体、及びナビゲーションシステムを提供することにある。
【課題を解決するための手段】
【０００６】
上記課題を解決するため、請求項１に記載の発明は、ナビゲーション装置であって、施設で利用可能なカードを保持可能な保持部を複数備えるカードストッカの前記保持部の情報と、当該保持部に保持されている前記カードを利用可能な施設の情報とを対応付けて保持部毎に登録する登録手段と、移動体が目的地又は経由地となる施設に位置するか否かを判定する判定手段と、前記判定手段により前記移動体が前記施設に位置すると判定された場合に、当該施設で利用可能なカードを保持する前記保持部を前記登録手段により登録された情報に基づいて特定する特定手段と、前記特定手段により特定された前記保持部を前記ユーザに提示する提示手段と、を備えることを特徴とする。
【０００７】
請求項５に記載の発明は、ナビゲーション装置と、施設で利用可能なカードを保持可能な保持部を複数備えるカードストッカとを備えるナビゲーションシステムであって、前記カードストッカに備えられる各前記保持部は、開状態と閉状態の何れか一方の状態をとり、前記閉状態は前記ナビゲーション装置からの制御信号に応じて前記開状態に切り替えられ、前記保持部が閉状態のときは当該保持部に保持された前記カードがユーザにより取り出し不能である一方、前記保持部が開状態のときは当該保持部に保持された前記カードがユーザにより取り出し可能に当該ユーザに提示され、前記ナビゲーション装置は、前記カードストッカの前記保持部の情報と、当該保持部に保持されている前記カードを利用可能な施設の情報とを対応付けて保持部毎に登録する登録手段と、移動体が目的地又は経由地となる施設に位置するか否かを判定する判定手段と、前記判定手段により前記移動体が前記施設に位置すると判定された場合に、当該施設で利用可能なカードを保持する前記保持部を前記登録手段により登録された情報に基づいて特定する特定手段と、前記特定手段により特定された前記保持部を開状態にさせる前記制御信号を有線又は無線により前記カードストッカへ送信する送信手段と、を備えることを特徴とする。
【０００８】
請求項６に記載の発明は、ナビゲーション装置により行われる情報提示方法であって、施設で利用可能なカードを保持可能な保持部を複数備えるカードストッカの前記保持部の情報と、当該保持部に保持されている前記カードを利用可能な施設の情報とを対応付けて保持部毎に登録する登録工程と、移動体が目的地又は経由地となる施設に位置するか否かを判定する判定工程と、前記判定工程により前記移動体が前記施設に位置すると判定された場合に、当該施設で利用可能なカードを保持する前記保持部を前記登録工程により登録された情報に基づいて特定する特定工程と、前記特定工程により特定された前記保持部を前記ユーザに提示する提示工程と、を含むことを特徴とする。
【０００９】
請求項７に記載の発明は、ナビゲーション装置に含まれるコンピュータを、施設で利用可能なカードを保持可能な保持部を複数備えるカードストッカの前記保持部の情報と、当該保持部に保持されている前記カードを利用可能な施設の情報とを対応付けて保持部毎に登録する登録手段、移動体が目的地又は経由地となる施設に位置するか否かを判定する判定手段、前記判定手段により前記移動体が前記施設に位置すると判定された場合に、当該施設で利用可能なカードを保持する前記保持部を前記登録手段により登録された情報に基づいて特定する特定手段、及び、前記特定手段により特定された前記保持部を前記ユーザに提示する提示手段として機能させることを特徴とする。
【図面の簡単な説明】
【００１０】
【図１】本願の実施形態に係るナビゲーションシステムＳＳ１の概要構成を示すブロック図である
【図２】本実施例に係るナビゲーションシステムＳＳ２の概要構成を示すブロック図である
【図３】スロット対応付けテーブルに登録された情報の一例を示す図である。
【図４】本実施例に係るナビゲーション装置Ｓ２のシステム制御部１９におけるスロット提示処理の一例を示すフローチャートである。
【図５】本実施例に係るナビゲーション装置Ｓ２のシステム制御部１９におけるスロット登録処理の一例を示すフローチャートである。
【図６】（Ａ），（Ｂ）は、保持済カードへの紐付処理の一例を示すフローチャートであり、（Ｃ）は、データベースＤＢに登録された情報の一例を示す図である。
【発明を実施するための形態】
【００１１】
以下、本願の実施形態を添付図面に基づいて説明する。先ず、本願の実施形態に係るナビゲーションシステムＳＳ１の構成及び機能について図１を用いて説明する。図１は、本願の実施形態に係るナビゲーションシステムＳＳ１の概要構成を示すブロック図である。図１に示すように、ナビゲーションシステムＳＳ１は、例えば移動体に搭載されるナビゲーション装置Ｓ１と、施設で利用可能なカードを保持（ストック）可能な保持部を複数備えるカードストッカＳＴ１とを備える。移動体には、例えば、車両、船舶、及びスマートフォンや携帯電話機等の携帯端末などが該当する。施設の例としては、店舗、ホテル、旅館、遊園地、動物園、映画館等が挙げられる。店舗の例としては、商品を販売する店舗（例えば、スーパー、コンビニエンスストア等）、商品を貸し出す店舗（例えば、ＤＶＤ／ＢＤのレンタルショップ等）、サービスを提供する店舗（例えば、レストラン等）が挙げられる。施設で利用可能なカードは、例えば紙やプラスチック等を材料とし、ユーザが所持（携帯）できる大きさのカード型（例えば、長方形）の媒体であり、ユーザにより例えば商品又はサービスの取引時の決済のため、又は所定の特典享受のために使用される。このようなカードの例としては、ショップカード、メンバカード、ポイントカード等が挙げられる。ショップカード及びメンバカードの中には、クレジットカードとしても利用可能なものもある。
【００１２】
カードストッカＳＴ１に備えられる各保持部（以下、「スロット」という）には、スロット毎に固有のスロット番号が割り当てられている。また、各スロットは、開状態と閉状態の何れか一方の状態をとり、スロットが閉状態のときは当該スロットに保持されたカードがユーザにより取り出し不能である一方、スロットが開状態のときは当該スロットに保持されたカードがユーザにより取り出し可能に当該ユーザに提示される。ユーザは、開状態にあるスロットに新たなカードを置く等によりセットするか、或いは開状態にあるスロットに既に置いてあるカードと新たなカードとを置き換えることができる。未だカードが保持されていないスロットを、「空スロット」という。なお、スロットは、挿入タイプであってもよく、この場合、当該スロットにカードが挿入される。
【００１３】
また、カードストッカＳＴ１には、ナビゲーション装置Ｓ１と連動する電子式のカードストッカと、ナビゲーション装置Ｓ１と連動しない非電子式のカードストッカと、の２種類あり、本願はどちらのカードストッカに対しても適用できる。電子式のカードストッカは、ナビゲーション装置Ｓ１と有線又は無線により電気的に接続可能になっており、ナビゲーション装置Ｓ１からの制御信号に応じて動作する。例えば、電子式のカードストッカは、ナビゲーション装置Ｓ１からの制御信号に応じて、当該制御信号で示されるスロットを閉状態から開状態に切り替える。或いは、電子式のカードストッカは、ナビゲーション装置Ｓ１からの制御信号に応じて、当該制御信号で示されるスロットのスロット番号を表示したり、或いは当該スロットの位置に設けられたＬＥＤ（スロット毎に設けられたＬＥＤ）を点灯させる。一方、非電子式のカードストッカには、例えば、スロット毎に対応する押しボタンが設けられる。非電子式のカードストッカは、ユーザにより押下された押しボタンに対応するスロットを閉状態から開状態に切り替える。
【００１４】
ナビゲーション装置Ｓ１は、図１に示すように、登録手段１、判定手段２、特定手段３、及び提示手段４を備えて構成される。登録手段１は、カードストッカＳＴ１のスロットの情報（例えば、スロット番号等）と、当該スロットに保持されているカードを利用可能な施設の情報（例えば、施設名や施設を識別するＩＤ等）とを対応付けてスロット毎に登録する。判定手段２は、移動体が目的地又は経由地となる施設に位置するか否かを判定する。例えば、ユーザにより目的地又は経由地として予め設定された施設に移動体が到着したことが検出された場合に、当該移動体が施設に位置すると判定される。或いは、判定手段２は、移動体が施設の敷地（例えば駐車場）に入ったことが検出された場合に、当該移動体が施設に位置すると判定される。
【００１５】
特定手段３は、判定手段２により移動体が施設に位置すると判定された場合に、当該施設で利用可能なカードを保持するスロットを登録手段１により登録された情報に基づいて特定する。提示手段４は、特定手段３により特定されたスロット又は当該スロットに保持されたカードをユーザに提示する。例えば、提示手段４は、特定手段３により特定されたスロットのスロット番号（カードのカード名でもよい）をディスプレイに表示させることで当該スロットをユーザに提示する。或いは、提示手段４は、特定手段３により特定されたスロットを開状態にさせる制御信号を有線又は無線によりカードストッカＳＴ１（電子式のカードストッカ）へ送信（送信手段として送信）して当該スロットを開状態にさせることで当該スロット及びカードをユーザに提示する。或いは、提示手段４は、特定手段３により特定されたスロットを示す制御信号を有線又は無線によりカードストッカＳＴ１（電子式のカードストッカ）へ送信して当該スロットのスロット番号を表示させたり、或いは当該スロットの位置に設けられたＬＥＤ（発光ダイオード）を点灯させることで当該スロットをユーザに提示する。
【００１６】
以上説明したように、上記実施形態によれば、移動体が目的地又は経由地となる施設に位置すると判定された場合に、当該施設で利用可能なカードを保持するスロットを特定し、特定されたスロット又は当該スロットに保持されたカードをユーザに提示するように構成したので、ユーザに施設で利用可能なカードを忘れずに当該施設に持っていかせることができる。また、ユーザが施設で利用可能なカードがあるかないかを覚えていない場合であっても、施設で利用可能なカードを当該ユーザに提示することができる。更に、施設で利用可能なカードが多数あっても、ユーザがカードを探す手間を省くことができる。また、特定されたスロットを開状態にさせる制御信号を有線又は無線によりカードストッカＳＴ１へ送信して当該スロットを開状態にさせる構成によれば、当該施設で利用可能なカードがユーザに取り出し易くなるので、ユーザに当該カードを迅速に持っていかせることができる。
【００１７】
なお、ナビゲーション装置Ｓ１が始動したとき移動体が施設に位置する場合に、登録手段１は、移動体が位置する施設の情報と、当該施設で利用可能なカードを新たに保持させるスロットとしてユーザにより指定された当該スロットの情報とを対応付けて登録するように構成してもよい。この構成によれば、ユーザは当該施設に行ったときに作成（発行）されたカードをカードストッカＳＴ１のスロットに忘れずに保持させ、当該施設の情報と当該スロットの情報とを忘れずに登録させることができる。
【００１８】
また、ナビゲーション装置Ｓ１が始動したとき移動体が第１の施設に位置する場合に、登録手段１は、当該第１の施設とは異なる第２の施設で利用可能なカードとしてスロットに保持済の当該カードのうち、第１の施設でも利用可能なカードが保持されているスロットの情報と、当該第１の施設の情報と、を対応付けて登録するように構成してもよい。この構成によれば、ユーザは第１の施設（例えば、コンビニエンスストア）に行ったときに、第２の施設（例えば、ＤＶＤ／ＢＤのレンタルショップ）で利用可能なカードがスロットに保持済であり、当該カードが第１の施設でも利用可能なカードであれば、当該カードが保持されたスロットの情報に対応付けて第１の施設の情報を追加して登録させることができる。
【００１９】
以上のように、ナビゲーション装置Ｓ１における情報提示方法は、ナビゲーション装置Ｓ１に含まれるコンピュータを、登録手段１、判定手段２、特定手段３、及び提示手段４等として機能させる本願の情報提示プログラム（ソフトウェア）により行われるように構成してもよいし、ハードウェアを含んで構成された登録手段１、判定手段２、特定手段３、及び提示手段４等により行われるように構成してもよい。なお、上記情報提示プログラムは、ＣＤ（Compact Disc），ＤＶＤ（Digital Versatile Disc），ＢＤ（Blu-ray Disc），又はＨＤ（Hard Disc）等の記録媒体にコンピュータにより読み取り可能に記録されるようにし当該記録媒体からドライブを介してナビゲーション装置Ｓ１に読み込まれるように構成してもよいし、ネットワークに接続された所定のサーバからダウンロードされることでナビゲーション装置Ｓ１に読み込まれるように構成してもよい。
【実施例】
【００２０】
次に、上述した実施形態に対応する実施例について説明する。なお、以下に説明する実施例は、車両に搭載され当該車両の走行（移動）を案内するナビゲーション装置と、電子式のカードストッカに本願を適用した場合の実施例である。先ず、本実施例に係るナビゲーションシステムＳＳ２の構成及び機能について図２を用いて説明する。図２は、本実施例に係るナビゲーションシステムＳＳ２の概要構成を示すブロック図である。図２に示すように、ナビゲーションシステムＳＳ２は、ナビゲーション装置Ｓ２と、電子式のカードストッカＳＴ２とを備える。
【００２１】
ナビゲーション装置Ｓ２は、図２に示すように、ＧＰＳ（Global Positioning System）受信部１１、センサ部１２、記憶部１３、表示部１４、音声処理部１５、外部機器接続部１６、通信部１７、操作部１８、及びシステム制御部１９等を備えて構成されており、これらの構成要素は、データを伝送するバス２０に接続されている。システム制御部１９は、上述した登録手段１、判定手段２、特定手段３、及び提示手段４の一例である。
【００２２】
ＧＰＳ受信部１１は、衛星軌道上に配置され地球を周回するＧＰＳ衛星から出力される航法電波を、図示しないアンテナを介して受信し、受信した信号に基づいて位置情報（経度及び緯度）を検出し、ＧＰＳデータとしてシステム制御部１９へ出力する。センサ部１２は、例えば、車両の車輪の回転に伴って発生されているパルス信号からなる車速パルスに基づき車両の速度を検出する速度センサ、車両の走行方位を検出する方位センサ（ジャイロセンサ）、車両の加速度を検出する加速度センサ、車両の走行距離を検出する距離センサ等を備えており、これらのセンサによって検出された各データ（速度データ、方位データ、加速度データ、走行距離データ等）を、システム制御部１９へ出力する。
【００２３】
記憶部１３は、例えば、ＣＤドライブ、ＤＶＤドライブ、ＢＤドライブ又はＨＤドライブ等により構成されており、システム制御部１９による制御の下、ＣＤ、ＤＶＤ、ＢＤ又はＨＤ等の記録媒体に記録された各種データ及びプログラムを読み出し、システム制御部１９へ出力する。このプログラムには、本願の情報提示プログラム、及びナビゲーション処理（ルート探索（経路探索）及びルート案内（経路案内）等の処理）を実行するためのプログラム等が含まれる。ナビゲーション処理に用いられる各種データには、例えば、地図データ、リンクデータ、ノードデータ、及び経路案内データ、更には、ユーザに対し入力指示や選択指示等を促すためのデータ（例えば、メニューデータ）等が含まれている。
【００２４】
地図データは、表示部１４におけるディスプレイに地図を表示するための画像データ（道路や施設等の画像データを含む）、及び地図上における各地点の地点情報を含んで構成される。地点の地点情報には、地点の位置情報（緯度及び経度に対応する地図上における座標（X,Y））、及び地点に施設が位置する場合には、当該施設の情報（例えば、施設名や施設を識別するＩＤ等）等が含まれる。なお、各地点の地点情報は、地図データとは別に、例えばＰＯＩ（Point Of Interest）データとして記憶されていてもよい。地図上に示される道路は、複数の線分としてのリンクから構成され、少なくとも２つのリンクは、１つのノードで接続される。このノードは、例えば、各道路の交差点、屈曲点、分岐点、合流点等の結節点に対応する。リンクデータは、各リンク毎に、リンクのリンクＩＤ、当該リンクが接続される２つのノードのノードＩＤ、当該リンクに対応する道路区間の距離等の情報を有している。ノードデータは、各ノード毎に、ノードのノードＩＤ、当該ノードの位置情報（緯度及び経度に対応する地図上における座標（X,Y））、及び当該ノードに接続されるリンクのリンクＩＤ等の情報を有している。これらのリンクデータ及びノードコストは、例えば出発地（例えば現在地）から目的地までのルート探索に用いられる。ルート探索には公知の様々な方法を適用できるので、ここでの詳しい説明は省略する。また、経路案内データには、経路案内に用いられる画像データ、文字データ、及び音声データ等が含まれる。
【００２５】
表示部１４は、例えば、グラフィックコントローラ、バッファメモリ（ＶＲＡＭ等）及びディスプレイ（例えば、液晶ディスプレイ、又は有機ＥＬディスプレイ等）等を備えており、グラフィックコントローラが、システム制御部１９による制御の下、地図データや、経路案内に係る画像データをバッファメモリに展開、描画した後、ディスプレイに表示するようになっている。また、ディスプレイには、システム制御部１９による制御の下、ユーザに対し入力指示や選択指示等を受け付けるための各種画面が表示される。音声処理部１５は、例えば、ＤＡＣ（デジタル／アナログ信号変換器）、アンプ、スピーカ等を備えており、システム制御部１９から出力された音声データをＤＡＣによりＤ／Ａ変換した後、アンプにより増幅してスピーカから音波として出力する。
【００２６】
外部機器接続部１６は、専用ケーブル（例えばＵＳＢケーブル等）ＫによりカードストッカＳＴ２の外部機器接続部Ｔに電気的に接続可能になっている。これにより、ナビゲーション装置Ｓ２は、カードストッカＳＴ２との間で通信を行うことができる。なお、外部機器接続部１６は、無線通信部により構成され、無線通信（例えば、Bluetooth（登録商標）、FeliCa（登録商標）、又はNFC(Near Field Communication)等の無線通信技術に基づく）によりカードストッカＳＴ２との間で電気的に接続されるように構成してもよい。
【００２７】
通信部１７は、インターネット及び移動体通信網等により構成されたネットワークと無線により接続されるようになっている。なお、通信部１７には、ＶＩＣＳ（登録商標）受信機も備えられており、これにより、ＦＭ多重放送、道路上に設置された光（赤外線）ビーコン、電波（準マイクロ波）ビーコン等から発信された道路交通情報（例えば、渋滞等の交通状況に関する情報）を受信可能になっている。
【００２８】
操作部１８は、ユーザからの指示を受け付けるための操作ボタンを有しており、ユーザにより押下された操作ボタンに対応する指示信号をシステム制御部１９へ出力する。なお、表示部１４のディスプレイがタッチパネル方式の場合、操作ボタンはディスプレイ上に選択可能に表示される。
【００２９】
システム制御部１９は、コンピュータとしてのＣＰＵ、作業用ＲＡＭ、各種データやプログラムを記憶するＲＯＭ、及びフラッシュメモリ等の不揮発性メモリを備えており、ナビゲーション装置Ｓ２における構成要素全体を統括制御する。不揮発性メモリには、カードストッカＳＴ２のスロットＳＬｎ（ｎ＝１，２，・・・）の情報と、当該スロットＳＬｎに保持されるカードＣｍ（ｍ＝１，２，・・・）を利用可能な施設の情報とを対応付けて登録するためのスロット対応付けテーブルが記憶されている。
【００３０】
図３は、スロット対応付けテーブルに登録された情報の一例を示す図である。図３に示すスロット対応付けテーブル例には、各スロットＳＬｎのスロット番号が登録されており、カードＣｍが保持されているスロットＳＬｎのスロット番号には、当該カードＣｍを利用可能な施設の施設名及び当該カードＣｍのカード名が対応付けられて登録されている。なお、当該カードＣｍを利用可能な施設の施設名と共にカード画像（カードＣｍを撮影した写真画像）データのファイル名が登録されるように構成してもよい。また、図３に示すスロット対応付けテーブル例において、スロット番号に施設名が対応付けられていないスロット番号“２”及び“５”は空スロットである。
【００３１】
また、スロットＳＬｎに保持されるカードＣｍを利用可能な施設の情報や当該カードＣｍの情報を、当該スロットＳＬｎのスロット番号に対応付けてスロット対応付けテーブルに登録させる処理タイミングは特に限定されず、例えばユーザが自宅の駐車場でカードＣｍを空スロットＳＬｎにセットする際に操作部１８を操作してシステム制御部１９に当該登録処理を行わせるように構成してもよいが、後述するスロット登録処理のように、車両が施設に位置する際に当該登録処理を行うように構成すればより効果的である。
【００３２】
そして、システム制御部１９は、ＣＰＵが、例えば記憶部１３に記憶されたプログラム（本願の情報提示プログラムを含む）を読み出し実行することにより、ユーザからの指示に応じてルート探索及びルート案内等のナビゲーション処理を行い、さらに、本願の各手段として機能してスロット提示処理及びスロット登録処理を行うようになっている。スロット提示処理では、詳細は後述するが、システム制御部１９は、車両が目的地又は経由地となる施設に位置する場合に、当該施設で利用可能なカードＣｍを保持するスロットＳＬｎを特定し、特定したスロットＳＬｎを開状態にさせる制御信号を外部機器接続部１６及び専用ケーブルＫを介してカードストッカＳＴ２へ送信する。
【００３３】
次に、電子式のカードストッカＳＴ２は、図２に示すように、複数のスロットＳＬｎ（ｎ＝１，２，・・・）、各スロットに対応する押しボタンＢｎ（ｎ＝１，２，・・・）、外部機器接続部Ｔ、及びコントローラ（図示せず）等を備える。なお、電子式のカードストッカＳＴ２には、表示パネルやスロット毎に対応するＬＥＤが備えられてもよい。
【００３４】
各スロットＳＬｎは、開状態と閉状態の何れか一方の状態をとる。図２に示す例では、スロットＳＬ１のみが開状態にあり、これ以外のスロットＳＬ２，ＳＬ３・・・は閉状態にある。開状態にある（開いている）スロットＳＬ１のカードＣ１は、ユーザにより取り出し可能に当該ユーザに提示されている。一方、閉状態にある（閉じている）スロットＳＬ２，ＳＬ３・・・のカードＣｍはユーザにより取り出し不能になっている。開状態にあるスロットＳＬ１は、ユーザがカードストッカＳＴ２の上部を図中矢印方向に押し倒すことで閉状態になる（閉じられる）。また、各スロットＳＬｎには、コントローラからの駆動信号に応じて閉状態から開状態に駆動させる駆動機構（図示せず）が設けられている。なお、押しボタンＢｎがユーザにより押下されると、押下されたボタンＢｎに対応するスロットＳＬｎが開状態になる（開かれる）。
【００３５】
外部機器接続部Ｔは、専用ケーブルＫによりナビゲーション装置Ｓ２の外部機器接続部１６に電気的に接続可能になっている。外部機器接続部Ｔは、配線によりコントローラの接続端子に接続されている。これにより、ナビゲーション装置Ｓ２からの制御信号は、専用ケーブルＫ及び外部機器接続部Ｔを介してコントローラに入力される。コントローラは、ＣＰＵ，ＲＡＭ，ＲＯＭ等により構成されており、ナビゲーション装置Ｓ２からの制御信号を入力すると、当該制御信号で示されるスロット番号に対応するスロットの駆動機構へ駆動信号を送信することで閉状態から開状態に駆動させる。
【００３６】
次に、本実施例に係るナビゲーション装置Ｓ２におけるスロット提示処理の詳細について図４を用いて説明する。図４は、本実施例に係るナビゲーション装置Ｓ２のシステム制御部１９におけるスロット提示処理の一例を示すフローチャートである。なお、図４に示す処理は、例えばユーザからの指示により目的地が設定されることにより開始されるナビゲーション処理中に行われる。
【００３７】
図４に示すステップＳ１では、システム制御部１９は、車両が目的地又は経由地となる施設に位置するか否かを判定する。例えば、システム制御部１９は、ユーザからの指示により目的地又は経由地として設定された施設に車両が到着したことを検出した場合に、車両が施設に位置すると判定する。ここで、車両が施設に到着したことは、例えば、車両の現在位置（ＧＰＳ受信部１１（ＧＰＳデータ）から取得）が、目的地又は経由地として設定された施設の位置（例えば、地図データから取得）と一致した場合に検出される。或いは、ユーザからの指示により施設が目的地又は経由地として設定されていない場合、システム制御部１９は、例えば、車両が施設の駐車場に入ったことを検出した場合に、車両が施設に位置すると判定する。ここで、車両が施設の駐車場に入ったことは、例えば、車両の現在位置が、地図データ中に含まれる施設の駐車場の領域（区画）内に入った場合に検出されるように構成してもよいし、当該施設の駐車場内に設置された信号発信器からの信号を受信した場合に検出されるように構成してもよい。
【００３８】
そして、システム制御部１９は、車両が目的地又は経由地となる施設に位置しないと判定した場合には（ステップＳ１：ＮＯ）、ステップＳ２に進む。ステップＳ２に示すその他の処理、例えばユーザからの指示に応じた案内処理等が行われる。一方、システム制御部１９は、車両が目的地又は経由地となる施設に位置すると判定した場合には（ステップＳ１：ＹＥＳ）、ステップＳ３に進む。
【００３９】
ステップＳ３では、システム制御部１９は、ステップＳ１で車両が位置すると判定した施設で利用可能なカードＣｍを保持するスロットＳＬｎがあるか否かを判定する。例えば、システム制御部１９は、ステップＳ１で車両が位置すると判定した施設の施設名を地図データに含まれる地点情報から取得し、当該取得した施設名がスロット番号に対応付けられてスロット対応付けテーブルに登録されているか否かを判定する。システム制御部１９は、上記取得した施設名がスロット番号にスロット対応付けテーブルに登録されていると判定した場合には、当該施設で利用可能なカードＣｍを保持するスロットＳＬｎがあると判定する。
【００４０】
そして、システム制御部１９は、当該施設で利用可能なカードＣｍを保持するスロットＳＬｎがあると判定した場合には（ステップＳ３：ＹＥＳ）、スロット対応付けテーブルに登録された情報に基づいて、当該カードＣｍを保持するスロットＳＬｎを特定（当該施設名に対応付けられたスロット番号で特定）し（ステップＳ４）、ステップＳ５へ進む。一方、システム制御部１９は、当該施設で利用可能なカードＣｍを保持するスロットＳＬｎがないと判定した場合には（ステップＳ３：ＮＯ）、図４に示す処理を終了する。
【００４１】
ステップＳ５では、システム制御部１９は、スロットの提示タイミングになったか否かを判定する。例えば、車両が駐車してから所定時間経過した場合、又は車両のエンジンが切られた場合に提示タイミングになったと判定される。そして、システム制御部１９は、スロットの提示タイミングになったと判定した場合には（ステップＳ５：ＹＥＳ）、ステップＳ４で特定したスロットＳＬｎを開状態にさせる制御信号を外部機器接続部１６及び専用ケーブルＫを介してカードストッカＳＴ２へ送信（つまり、特定されたスロットＳＬｎをユーザに提示させる指令を送信）する（ステップＳ６）。カードストッカＳＴ２が制御信号を受信すると、カードストッカＳＴ２のコントローラは、当該制御信号で示されるスロット番号に対応するスロットＳＬｎの駆動機構へ駆動信号を送信することで閉状態から開状態に駆動させる。これにより、当該スロットＳＬｎ及び当該スロットＳＬｎに保持されているカードＣｍがユーザに提示され、当該カードＣｍがユーザに取り出されて施設に持っていかれることになる。
【００４２】
なお、ステップＳ６において、システム制御部１９は、ステップＳ４で特定したスロットＳＬｎのスロット番号をディスプレイに表示、又はスピーカから音声出力させることで当該スロットＳＬｎをユーザに提示するように構成してもよい。さらに、このとき、システム制御部１９は、ステップＳ４で特定したスロットＳＬｎのスロット番号に対応付けられて登録されている、当該カードＣｍのカード名又は当該カードＣｍの画像データのファイル名をスロット対応付けテーブルから取得し、当該カード名及びカードＣｍの画像をディスプレイに表示させるように構成してもよい。
【００４３】
以上説明したように、上記スロット提示処理によれば、車両が目的地又は経由地となる施設に位置すると判定された場合に、当該施設で利用可能なカードＣｍを保持するスロットＳＬｎを特定し、特定されたスロットＳＬｎ又は当該スロットＳＬｎに保持されたカードＣｍをユーザに提示するように構成したので、ユーザに施設で利用可能なカードＣｍを忘れずに当該施設に持っていかせることができる。また、ユーザが施設で利用可能なカードＣｍがあるかないかを覚えていない場合であっても、施設で利用可能なカードＣｍを当該ユーザに効果的に提示することができる。更に、施設で利用可能なカードＣｍが多数あっても、ユーザがカードＣｍを探す手間を省くことができる。また、上記ステップＳ６の処理では、特定されたスロットＳＬｎを開状態にさせる制御信号をカードストッカＳＴ２へ送信するように構成したので、ユーザに当該カードＣｍを迅速に取り出させ、忘れずに持っていかせることができる。
【００４４】
なお、上記ステップＳ６において、システム制御部１９は、スロットＳＬｎを開状態にさせる制御信号をカードストッカＳＴ２へ送信したときに、当該スロットＳＬｎのスロット番号を不揮発性メモリに記憶しておくように構成してもよい。この場合、その後、ユーザが施設から戻ってきてナビゲーション装置Ｓ２を再起動させたときに、当該記憶しておいたスロット番号をディスプレイに表示、又はスピーカから音声出力させると共に、カードストッカＳＴ２から取り出されたカードＣｍをスロットＳＬｎにしまうように促すメッセージをディスプレイに表示、又はスピーカから音声出力させるように構成してもよい。この構成によれば、カードストッカＳＴ２から取り出されたカードＣｍを、ユーザに忘れずに所定のスロットＳＬｎに戻させることができる。
【００４５】
次に、本実施例に係るナビゲーション装置Ｓ２におけるスロット登録処理の詳細について図５を用いて説明する。図５は、本実施例に係るナビゲーション装置Ｓ２のシステム制御部１９におけるスロット登録処理の一例を示すフローチャートである。なお、このスロット登録処理は、ユーザが車両で行った施設に入り、その後、当該施設から車両に戻ってきたときに好適な処理である。図５に示す処理は、ナビゲーション装置Ｓ２の電源ＯＮにより、当該ナビゲーション装置Ｓ２が始動したときに開始される。
【００４６】
図５に示すステップＳ１１では、システム制御部１９は、車両が施設に位置するか否かを判定する。例えば、地図データに基づいて、車両の現在位置（ＧＰＳ受信部１１（ＧＰＳデータ）から取得）が施設の位置と一致している場合に、車両が施設に位置すると判定される。そして、システム制御部１９は、車両が施設に位置しない（例えば、自宅に位置する）と判定した場合には（ステップＳ１１：ＮＯ）、図５に示す処理を終了する。一方、システム制御部１９は、車両が施設に位置すると判定した場合には（ステップＳ１１：ＹＥＳ）、スロット対応付けテーブルを参照して、空スロットＳＬｎがあるか否かを判定する（ステップＳ１２）。なお、システム制御部１９は、外部機器接続部１６及び専用ケーブルＫを介してカードストッカＳＴ２のコントローラに空スロットＳＬｎがあるか否かを問い合わせるように構成してもよい。この場合、カードストッカＳＴ２のコントローラは、システム制御部１９から問い合わせがあったときに、空スロットＳＬｎを検出し、当該空スロットＳＬｎの情報をシステム制御部１９へ送信することになる。
【００４７】
そして、システム制御部１９は、空スロットＳＬｎがないと判定した場合には（ステップＳ１２：ＮＯ）、空スロットＳＬｎがないことを示すメッセージ（以下、「空スロット無メッセージ」という）をユーザに通知し（ステップＳ１３）、図５に示す処理を終了する。例えば、システム制御部１９は、当該空スロット無メッセージをディスプレイに表示、又はスピーカから音声出力させることでユーザに通知する。一方、システム制御部１９は、空スロットＳＬｎがあると判定した場合には（ステップＳ１２：ＹＥＳ）、ステップＳ１４へ進む。
【００４８】
ステップＳ１４では、システム制御部１９は、車両が位置すると判定した施設（以下、「現施設」という）で利用可能なカードＣｍを保持するスロットＳＬｎがある（言い換えれば、当該カードＣｍがスロットＳＬｎに保持済であるか）否かを判定する。この判定方法は、上記ステップＳ３と同様である。そして、システム制御部１９は、現施設で利用可能なカードＣｍを保持するスロットＳＬｎがないと判定した場合には（ステップＳ１４：ＮＯ）、ステップＳ１５に進む。一方、システム制御部１９は、現施設で利用可能なカードＣｍを保持するスロットＳＬｎがあると判定した場合には（ステップＳ１４：ＹＥＳ）、現施設で利用可能なカードＣｍが保持済であることを示すメッセージ（以下、「カード保持済メッセージ」という）をユーザに通知し（ステップＳ２３）、図５に示す処理を終了する。例えば、システム制御部１９は、当該カード保持済メッセージをディスプレイに表示、又はスピーカから音声出力させることでユーザに通知する。なお、同一施設であっても複数種類のカードＣｍが発行される場合もあることを考慮し、上記ステップＳ１４でカードＣｍを保持するスロットＳＬｎがあると判定された場合、ステップＳ２３へ移行してもよい。
【００４９】
ステップＳ１５では、システム制御部１９は、選択画面（図示せず）をディスプレイに表示させる。この選択画面には、カード保持ボタン、及び施設紐付ボタン等がユーザに選択可能に表示される。ここで、カード保持ボタンは、現施設でユーザが入手したカードＣｍをスロットＳＬｎに保持させる場合に選択されるボタンである。一方、施設紐付指示ボタンは、現施設を保持済のカードＣｍに紐付ける場合に選択されるボタンである。このような選択画面の表示状態において、システム制御部１９は、カードＣｍを保持する指示があったか否かを判定する（ステップＳ１６）。そして、ユーザにより操作部１８を介してカード保持ボタンが選択されると、システム制御部１９は、カードＣｍを保持する指示があったと判定し（ステップＳ１６：ＹＥＳ）、ステップＳ１７へ進む。一方、システム制御部１９は、カードＣｍを保持する指示がないと判定した場合には（ステップＳ１６：ＮＯ）、ステップＳ２１へ進む。
【００５０】
ステップＳ１７では、システム制御部１９は、上記ステップＳ１４で判定された空スロットＳＬｎの情報をディスプレイに表示させる。例えば、空スロットＳＬｎのスロット番号の一覧が上記選択画面上にユーザにより指定可能に表示される。そして、ユーザにより操作部１８を介してスロット番号が指定されると、システム制御部１９は、当該スロット番号に対応する空スロットＳＬｎの指定を受け付ける（ステップＳ１８）。
【００５１】
次いで、システム制御部１９は、指定された空スロットＳＬｎへのカードＣｍのセットを促す要求メッセージ（以下、「カードセット要求メッセージ」という）をユーザに通知する（ステップＳ１９）。例えば、システム制御部１９は、当該カードセット要求メッセージをディスプレイに表示、又はスピーカから音声出力させることでユーザに通知する。これにより、ユーザは、現施設で入手したカードＣｍを空スロットＳＬｎにセットし保持させることになる。なお、ステップＳ１９において、システム制御部１９は、上記ステップＳ１８で指定された空スロットＳＬｎを開状態にさせる制御信号をカードストッカＳＴ２へ送信するように構成してもよい。これにより、空スロットＳＬｎが自動的に開かれるので、ユーザは、空スロットＳＬｎにカードＣｍを迅速にセットすることが可能となる。
【００５２】
次いで、システム制御部１９は、上記ステップＳ１８で指定された空スロットＳＬｎのスロット番号と、現施設の施設名（地図データに含まれる地点情報から取得）とを対応付けてスロット対応付けテーブルに登録し（ステップＳ２０）、図５に示す処理を終了する。これにより、ユーザは現施設で入手したカードＣｍをカードストッカＳＴ２の空スロットＳＬｎに忘れずに保持させ、現施設の施設名と当該スロットＳＬｎのスロット番号とを忘れずに登録させることができる。
【００５３】
なお、ステップＳ２０において、システム制御部１９は、上記ステップＳ１８で指定された空スロットＳＬｎのスロット番号及び現施設の施設名に対応付けて、当該空スロットＳＬｎに保存させるカードＣｍのカード名又はカード画像データのファイル名を登録するように構成してもよい。カード名の場合、例えば、システム制御部１９は、上記選択画面上にカード名の入力欄を表示させ、ユーザにより操作部１８を介して当該入力欄に入力されたカード名を取得することで当該カード名を上記空スロットＳＬｎのスロット番号に対応付けてスロット対応付けテーブルに登録する。一方、カード画像の場合、例えば、システム制御部１９は、ユーザがカードＣｍを空スロットＳＬｎにセットする前に、当該カードＣｍのカード画像の撮影を促すメッセージをユーザに通知する。この通知に応じて、ユーザは、例えばカメラ機能付の携帯機器やデジタルカメラにより当該カードＣｍの表面を撮影し、当該撮影されたカードＣｍのカード画像データを当該携帯機器やデジタルカメラに保存させる。そして、ユーザは、当該携帯機器やデジタルカメラを専用ケーブルＫによりナビゲーション装置Ｓ２の外部機器接続部Ｔに接続する。これにより、例えば上記選択画面上に表示されたデバイス指定欄から、ユーザは操作部１８により当該携帯機器やデジタルカメラのメモリ領域を指定し上記保存されたカード画像データのファイル名を表示させる。こうして表示されたカード画像データのファイル名がユーザにより操作部１８を介して指定されると、システム制御部１９は、当該指定されたカード画像データを取得して不揮発性メモリに保存すると共に、当該カード画像データのファイル名を上記空スロットＳＬｎのスロット番号に対応付けてスロット対応付けテーブルに登録する。このように構成することで、後述するステップＳ２２１において、ユーザが所望のカードＣｍを指定するためにカード名又はカード画像を表示させることができる。
【００５４】
ステップＳ２１では、システム制御部１９は、保持済のカードＣｍと紐付ける指示があったか否かを判定する。そして、ユーザにより操作部１８を介して施設紐付指示ボタンが選択されると、システム制御部１９は、保持済のカードＣｍと紐付ける指示があったと判定し（ステップＳ２１：ＹＥＳ）、ステップＳ２２へ進む。一方、所定時間、ユーザから指示がなかった場合、又はユーザから終了指示があった場合には、システム制御部１９は、保持済のカードＣｍと紐付ける指示がないと判定し（ステップＳ２１：ＮＯ）、図５に示す処理を終了する。
【００５５】
ステップＳ２２では、システム制御部１９は、保持済カードへの紐付処理を実行する。図６（Ａ），（Ｂ）は、保持済カードへの紐付処理の一例を示すフローチャートである。図６（Ａ）に示す保持済カードへの紐付処理Ａと、図６（Ｂ）に示す保持済カードへの紐付処理Ｂのどちらを実行させるかは任意に設定可能である。
【００５６】
図６（Ａ）に示す保持済カードへの紐付処理Ａは、現施設に紐付けられるカードＣｍがユーザにより指定されるように構成される。保持済カードへの紐付処理Ａにおいて、システム制御部１９は、スロットＳＬｎに保持済のカードＣｍの情報をディスプレイに表示させる（ステップＳ２２１）。例えば、保持済のカードＣｍのカード名又はカード画像の一覧が上記選択画面上にユーザにより指定可能に表示される。このように表示されたカードＣｍは、例えば、現施設（第１の施設）とは異なる施設（第２の施設）で利用可能なカードＣｍである。ユーザは、表示されたカード名又はカード画像を見て、現施設でも利用可能なカードＣｍを指定することになる。そして、ユーザにより操作部１８を介してカード名又はカード画像が指定されると、システム制御部１９は、当該カード名又はカード画像に対応するカードＣｍの指定を受け付ける（ステップＳ２２２）。
【００５７】
次いで、システム制御部１９は、上記ステップＳ２２２で指定されたカードＣｍを保持するスロットＳＬｎのスロット番号と、現施設の施設名とを対応付けてスロット対応付けテーブルに登録し（ステップＳ２２３）、図５に示す処理を終了する。これにより、ユーザは、例えば、コンビニエンスストアに行ったときに、当該コンビニエンスストアでも利用可能なカードＣｍであって他の施設（例えばＤＶＤ／ＢＤのレンタルショップ）で発行されスロットＳＬｎに保持済のカードＣｍがあればこれを指定することで、当該カードＣｍが保持されたスロットＳＬｎのスロット番号に対応付けてコンビニエンスストア名を追加して登録させることができる。
【００５８】
一方、図６（Ｂ）に示す保持済カードへの紐付処理Ｂは、現施設に紐付けられるカードＣｍがデータベースＤＢから検索されるように構成される。図６（Ｃ）は、データベースＤＢに登録された情報の一例を示す図である。図６（Ｃ）に示すデータベースＤＢには、施設の施設名（施設を識別するＩＤでもよい）と、当該施設で利用可能なカードのカード名（カードを識別するＩＤでもよい）と、当該カードの発行元名（例えば、発行元の施設名又は施設を識別するＩＤ）とが対応付けられて登録されている。このようなデータベースＤＢは、例えばネットワークに接続されたサーバに備えられる。保持済カードへの紐付処理Ｂにおいて、システム制御部１９は、現施設の施設名（施設を識別するＩＤでもよい）に対応付けられたカード名（カードを識別するＩＤでもよい）をＤＢから検索する（ステップＳ２２６）。例えば、システム制御部１９は、通信部１７及びネットワークを介して、上記データベースＤＢを備えるサーバにアクセスし現施設の施設名を含むクエリを送信することで当該サーバにカード名を検索させてその検索結果を当該サーバから取得する。
【００５９】
次いで、システム制御部１９は、上記ステップＳ２２６で検索されたカード名のカードＣｍを保持するスロットＳＬｎのスロット番号と、現施設の施設名とを対応付けてスロット対応付けテーブルに登録し（ステップＳ２２７）、図５に示す処理を終了する。これにより、ユーザは、例えば、コンビニエンスストアに行ったときに、当該コンビニエンスストアでも利用可能なカードＣｍであって他の施設で発行されスロットＳＬｎに保持済のカードＣｍを一覧表示中から探して指定することなく、より迅速に、当該カードＣｍが保持されたスロットＳＬｎのスロット番号に対応付けてコンビニエンスストア名を追加して登録させることができる。
【００６０】
以上説明したように、上記スロット登録処理によれば、ナビゲーション装置Ｓ２が始動したとき車両が施設に位置する場合に、当該車両が位置する現施設の情報と、当該現施設で利用可能なカードＣｍを新たに保持させるスロットＳＬｎとしてユーザにより指定された空スロットＳＬｎの情報とを対応付けて登録するように構成したので、ユーザは当該施設に行ったときに作成（発行）されたカードＣｍをカードストッカＳＴ２のスロットＳＬｎに忘れずに保持させ、当該施設の施設名と当該スロットＳＬｎのスロット番号とを忘れずに登録させることができる。
【００６１】
また、上記スロット登録処理によれば、ナビゲーション装置Ｓ２が始動したとき車両が第１の施設に位置する場合に、当該第１の施設とは異なる第２の施設で利用可能なカードＣｍとしてスロットＳＬｎに保持済の当該カードＣｍのうち、第１の施設でも利用可能なカードＣｍが保持されているスロットＳＬｎのスロット番号と、当該第１の施設の施設名と、を対応付けて登録するように構成したので、ユーザは第１の施設（例えば、コンビニエンスストア）に行ったときに、第２の施設（例えば、ＤＶＤ／ＢＤのレンタルショップ）で利用可能なカードＣｍがスロットＳＬｎに保持済であり、当該カードＣｍが第１の施設でも利用可能なカードＣｍであれば、当該カードＣｍが保持されたスロットＳＬｎのスロット番号に対応付けて第１の施設の施設名を追加して登録させることができる。
【符号の説明】
【００６２】
１  登録手段
２  判定手段
３  特定手段
４  提示手段
１１  ＧＰＳ受信部
１２  センサ部
１３  記憶部
１４  表示部
１５  音声処理部
１６  外部機器接続部
１７  通信部
１８  操作部
１９  システム制御部
２０  バス
Ｃｍ  カード
ＳＬｎ  スロット
ＳＴ１，ＳＴ２  カードストッカ
Ｓ１，Ｓ２  ナビゲーション装置
ＳＳ１，ＳＳ２  ナビゲーションシステム
【図１】
2013195253.tif 000003
【図２】
2013195253.tif 000004
【図３】
2013195253.tif 000005
【図４】
2013195253.tif 000006
【図５】
2013195253.tif 000007
【図６】
2013195253.tif 000008